【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
膝プロテーゼであって、
２つのＣ字形の顆を有する大腿骨コンポーネントであって、各々の顆は第１の遊離端部および第２の遊離端部を有し、それらの端部の間に開口部を規定し、該開口部は、該顆の該第１の遊離端部から該第２の遊離端部に前方へ延在する側壁によって規定され、該側壁は、該側壁が該顆の該第１の遊離端部と一緒になる第１の点から、該側壁が該顆の該第２の遊離端部と一緒になる第２の点に前方かつ下方に傾斜しており、該側壁は、大腿骨顆によって一緒にされ、それが続いて該顆の該第１の遊離端部間を延在し、該第１の遊離端部を一緒にするカムによって連結され、該開口部は、該前方に傾斜する側壁および該カムによって境界される、大腿骨コンポーネントと、
各々が該顆の対応する一方を支持する２つの支承表面と、該支承表面間に配置され、該支承表面から離れるように該大腿骨コンポーネントに向かって延在する支柱とを有する脛骨コンポーネントと
を備え、該大腿骨コンポーネントと該脛骨コンポーネントとは、該顆と該支承表面との間の一定の接触、および該大腿骨コンポーネントと該脛骨コンポーネントとの間の屈曲の少なくとも一部中の該カムと該支柱との間の選択的接触によって互いに係合され、
該大腿骨コンポーネントおよび該脛骨コンポーネントを屈曲で移動させることが、該カムと該支柱との間で規定される接触領域を下方かつ内方に移動させ、該脛骨コンポーネントと該大腿骨コンポーネントとの間に内側回転を生じさせ、該接触領域は、屈曲の増加に伴って、該支柱に沿って下向きに移動する、膝プロテーゼ。
【請求項２】
前記カムは、該カムの外側端と内側端との間に非対称断面を有する、請求項１に記載の膝プロテーゼ。
【請求項３】
前記カムは、外側端領域と内側端領域との間に非対称断面を有し、該外側端領域は、該カムの内側端領域と比較して、より大きい断面積を有する、請求項１に記載の膝プロテーゼ。
【請求項４】
膝プロテーゼであって、
２つのＣ字形の顆を有する大腿骨コンポーネントであって、各々の顆は第１の遊離端部および第２の遊離端部を有し、それらの端部の間に開口部を規定し、該開口部は、該顆の該第１の遊離端部から該第２の遊離端部に前方へ延在する側壁によって規定され、該側壁は、該側壁が該顆の該第１の遊離端部と一緒になる第１の点から、該側壁が該顆の該第２の遊離端部と一緒になる第２の点に前方かつ下方に傾斜しており、該側壁は、該顆の該第１の遊離端部間を延在し、該第１の遊離端部を一緒にするカムによって連結され、該開口部は、該前方に傾斜する側壁および該カムによって境界され、該カムは、該カムの内側領域と比較して、該カムの外側領域により大きい断面積を有する、大腿骨コンポーネントと、
各々が該顆の対応する一方を支持する２つの支承表面と、該支承表面間に配置され、該支承表面から離れて該大腿骨コンポーネントに向かって延在する支柱とを有する脛骨コンポーネントと
を備え、該大腿骨コンポーネントと該脛骨コンポーネントとは、該顆と該支承表面との間の一定の接触、および該大腿骨コンポーネントと該脛骨コンポーネントとの間の屈曲の少なくとも一部中の該カムと該支柱との間の選択的接触によって互いに係合され、
該大腿骨コンポーネントおよび該脛骨コンポーネントを屈曲で移動させることが、該カムの外側領域を該支柱から離すように移動させ、これによって、１４５°の屈曲において、該カムの外側領域において、該カムと該支柱との間に接触がなく、該カムと該支柱との間の接触領域は、屈曲の増加に伴って、該支柱に沿って下向きに移動する、膝プロテーゼ。
【請求項５】
請求項１に記載の膝プロテーゼであって、
前記大腿骨コンポーネントは、内側顆と外側顆とを有し、該大腿骨コンポーネントの該内側顆および該外側顆は、互いに対して非対称であり、
前記脛骨コンポーネントの２つの支承表面は、内側支承表面と外側支承表面とを含み、該内側支承表面と外側支承表面とは、非対称であり、
該内側支承表面は、該内側支承表面を囲む内側唇部を規定する突起を有し、
該大腿骨コンポーネントおよび該脛骨コンポーネントを屈曲で移動させることが、該顆と該支承表面との間の接触領域を、異なる比率で後方に平行移動させ、該脛骨コンポーネントと該大腿骨コンポーネントとの間に回転を生じさせる、膝プロテーゼ。
【請求項６】
前記内側顆の前記第２の遊離端部は、屈曲中に該内側顆が前記内側支承表面に係合する均一半径領域を有する、請求項５に記載の膝プロテーゼ。
【請求項７】
前記内側顆の外側表面は、屈曲中に、前記内側支承表面に係合し、該外側表面は、第１の半径領域、第２の半径領域および第３の半径領域を有し、各半径領域は、旋回点を規定し、他の半径領域とは異なる半径を有し、該旋回点の周りで該内側顆が旋回する、請求項５に記載の膝プロテーゼ。
【請求項８】
前記内側唇部および前記内側顆は、前方向転動を防止する、請求項５に記載の膝プロテーゼ。
【請求項９】
前記外側支承表面は、外側唇部を規定する突起を有する、請求項５に記載の膝プロテーゼ。
【請求項１０】
前記内側唇部は、厚さＴＡを有し、前記外側唇部は、寸法ＤＡを有する、請求項９に記載の膝プロテーゼ。
【請求項１１】
内側唇部厚ＴＡおよび外側唇部寸法ＤＡの比率は、７：４である、請求項１０に記載の膝プロテーゼ。
【請求項１２】
請求項５に記載の膝プロテーゼであって、
前記内側顆は、前記第２の遊離端部に沿って、少なくとも１つの半径から構成される均一半径領域を有し、屈曲中に内側支承表面に係合し、
前記大腿骨コンポーネントおよび前記脛骨コンポーネントを０°から９０°までの屈曲で移動させることが、該内側顆が該内側唇部によって保定されるようにし、該大腿骨コンポーネントの前方向転動を防止し、
該大腿骨コンポーネントおよび該脛骨コンポーネントを屈曲で移動させることが、該顆と支承表面との間の接触領域を、異なる比率で後方に平行移動させ、該脛骨コンポーネントと該大腿骨コンポーネントとの間に回転を生じさせる、膝プロテーゼ。
【請求項１３】
前記第１の半径領域が、０°から９０°までの屈曲の間、前記内側支承表面と係合し、前記第２の半径領域が、９０°から１２０°までの屈曲の間、該内側支承表面と係合し、そして前記第３の半径領域が、１２０°から１６５°までの屈曲の間、該内側支承表面と係合する、請求項７に記載の膝プロテーゼ。
【請求項１４】
４５°から１６５°までの屈曲における前記大腿骨コンポーネントと脛骨コンポーネントとの係合が、前記カムと支柱との間の接触領域を規定する、請求項１に記載の膝プロテーゼ。
【請求項１５】
４５°から１６５°までの屈曲における前記大腿骨コンポーネントと脛骨コンポーネントとの係合が、前記カムの外側領域を前記支柱から離れるように動かす、請求項４に記載の膝プロテーゼ。
【請求項１６】
前記大腿骨コンポーネントと脛骨コンポーネントとが、０°から１６５°までの屈曲において係合する、請求項５に記載の膝プロテーゼ。
【請求項１７】
前記大腿骨コンポーネントが前記脛骨コンポーネントと０°から９０°までの屈曲において係合するときに、前記内側顆は前記内側唇部によって保定される、請求項１２に記載の膝プロテーゼ。
【請求項１８】
前記大腿骨コンポーネントと脛骨コンポーネントとが、０°から１６５°までの屈曲において係合する、請求項１２に記載の膝プロテーゼ。
【請求項１９】
前記外側唇部が前記外側支承表面を囲む、請求項９に記載の膝プロテーゼ。